(57)【要約】【課題】取り外し可能なブレード付きのツール、特に木材用のみを提供する。【解決手段】本発明は、第１の輪郭を有する部分（１００、１）、第２の輪郭を有する部分（１０３、１０、１４）及び取り外し可能なブレード（１０６、２０）を有するツール、特に木材用のみに関する。第２の輪郭を有する部分（１０３、１０、１４）は、取り外し可能なブレードを第１の輪郭を有する部分と第２の輪郭を有する部分との間に挿入して摩擦によりこれをこれらの間に保持することができるよう第１の輪郭を有する部分中に押し込まれる。【選択図】図１ｂ
2011218809.tif 000002
【特許請求の範囲】
【請求項１】
第１の輪郭を有する部分（１００；１）と、第２の輪郭を有する部分（１０３；１０，１４）と、取り外し可能なブレード（１０６；２０）とを有するツール、特に木材用のみであって、前記第２の輪郭を有する部分（１０３；１０，１４）は、前記取り外し可能なブレードを前記第１の輪郭を有する部分（１００；１）と前記第２の輪郭を有する部分（１０３；１０，１４）との間に挿入して摩擦により前記取り外し可能なブレードを前記輪郭を有する部分相互間に保持することができるよう前記第１の輪郭を有する部分中に押し込まれる、ことを特徴とするツール。
【請求項２】
前記第１の輪郭を有する部分（１００；１）と前記第２の輪郭を有する部分（１０３；１０，１４）との間に位置決めされたコア（６）を更に有する、請求項１記載のツール。
【請求項３】
前記第１及び前記第２の輪郭を有する部分（１００，１０３）は、前記取り外し可能なブレード（１０６）を前記第１及び前記第２の輪郭を有する部分（１００，１０３）から取り外すことができるようにするために前記取り外し可能なブレード（１０６）に設けられている穴（１１１）と協働する長円形の開口部（１１０）を有する、請求項１又は２記載のツール。
【請求項４】
前記第２の輪郭を有する部分は、摺動要素（１４）を有し、前記摺動要素（１４）は、前記第１の輪郭を有する部分に対して摺動すると共に前記取り外し可能なブレード（２０）を前記第１の輪郭を有する部分（１）上に配置できる第１の開放位置と、前記取り外し可能なブレード（２０）を前記第１の輪郭を有する部分（１）と前記摺動要素（１４）との間に保持する閉鎖位置との間で移動可能である、請求項１又は２記載のツール。
【請求項５】
前記第２の輪郭を有する部分は、前記摺動要素をその閉鎖位置にロックするようユーザによって操作可能なロック手段（１０）を更に有する、請求項４記載のツール。
【請求項６】
前記第１の輪郭を有する部分は、第１の保持手段（５）を有し、前記第１の保持手段（５）は、前記第２の輪郭を有する部分の前記摺動要素（１４）がその開放位置にあるとき、前記取り外し可能なブレード（２０）を前記第１の輪郭を有する部分上に位置決めするために前記取り外し可能なブレード（２０）に設けられた第２の保持手段（２２）と協働する、請求項４又は５記載のツール。
【請求項７】
請求項１〜６のうちいずれか一に記載のツール、特に木材用のみに装着されるようになっている取り外し可能なブレード（１０６；２０）。
【請求項８】
材料削り屑が前記取り外し可能なブレード（２０）と前記第１及び／又は前記第２の輪郭を有する部分との間に入るのを阻止するよう形作られた肩（２５）を有する、請求項７記載の取り外し可能なブレード（１０６；２０）。
【発明の詳細な説明】
【技術分野】
【０００１】
本発明は、取り外し可能なブレードを備えたツール、特に木材用のみ及びかかるツール用のブレードに関する。
【背景技術】
【０００２】
ブレードが動かない木材用のみが知られている。また、取り外し可能なブレードを有する木材用のみが存在し、かくして、取り外し可能なブレードを摩耗が顕著な場合又はブレードの種類を変えるために交換することができる。
【発明の概要】
【発明が解決しようとする課題】
【０００３】
しかしながら、取り外し可能なブレードを備えたこれらツールは、ブレードを取り外したり取り付けたりするためのツールの使用を必要とする場合が多い。
【０００４】
本発明の目的は、ブレードが取り外し可能であり且つブレードを取り付け又は取り外すための補助ツールを必要としないでブレードの簡単且つ迅速な交換を可能にする一方で、ブレードをツールにいったん固定するとブレードが確実に保持されるようにするツール、特に木材用のみを提供することにある。また、本発明の目的は、ツール、特に木材用のみに装着されるようになった取り外し可能なブレードを提供することにある。
【課題を解決するための手段】
【０００５】
本発明は、第１の輪郭を有する部分（profiled part）と、第２の輪郭を有する部分と、取り外し可能なブレードとを有するツール、特に木材用のみにおいて、第２の輪郭を有する部分は、取り外し可能なブレードを第１の輪郭を有する部分と第２の輪郭を有する部分との間に挿入して摩擦により取り外し可能なブレードを前記輪郭を有する部分相互間に保持することができるよう第１の輪郭を有する部分中に押し込まれることを特徴とするツールに関する。
【０００６】
本発明は又、本発明に従ってツール、特に木材用のみに装着されるようになった取り外し可能なブレードに関する。
【０００７】
本発明の追加の特徴は、従属形式の請求項に記載されている。
【０００８】
添付の図面は、本発明に従って取り外し可能なブレードを備えたツール、特に木材用のみ並びにかかる取り外し可能なブレードの幾つかの実施形態を例示として概略的に示している。
【図面の簡単な説明】
【０００９】
【図１ａ】本発明の第１の実施形態としての木材用のみを示す図であり、木材用のみを形成する部分的に組み立てられた状態の要素の図である。
【図１ｂ】本発明の第１の実施形態としての木材用のみを示す図であり、木材用のみを形成する完全組み立て状態の要素の図である。
【図２ａ】本発明の第２の実施形態としての木材用のみの第１の輪郭を有する部分を示す図であり、第１の輪郭を有する部分の平面図である。
【図２ｂ】本発明の第２の実施形態としての木材用のみの第１の輪郭を有する部分を示す図であり、第１の輪郭を有する部分の側面図である。
【図２ｃ】本発明の第２の実施形態としての木材用のみの第１の輪郭を有する部分を示す図であり、図２ａに示されている第１の輪郭を有する部分のＩＩ‐ＩＩ線矢視断面図である。
【図３ａ】本発明の第２の実施形態としての木材用のみのコアを示す図であり、コアの平面図である。
【図３ｂ】本発明の第２の実施形態としての木材用のみのコアを示す図であり、コアの側面図である。
【図４ａ】本発明の第２の実施形態としての木材用のみのロック要素を示す図であり、ロック要素の平面図である。
【図４ｂ】本発明の第２の実施形態としての木材用のみのロック要素を示す図であり、ロック要素の側面図である。
【図４ｃ】本発明の第２の実施形態としての木材用のみのロック要素を示す図であり、図４ａに示されているロック要素のＩＶ‐ＩＶ線矢視断面図である。
【図５ａ】本発明の第２の実施形態としての木材用のみの摺動要素を示す図であり、摺動要素の平面図である。
【図５ｂ】本発明の第２の実施形態としての木材用のみの摺動要素を示す図であり、摺動要素の側面図である。
【図６ａ】本発明の第２の実施形態としての木材用のみの取り外し可能なブレードを示す図である。
【図６ｂ】図６ａに示されているブレードの側面図である。
【図７】本発明の第２の実施形態としての木材用のみを示す図であり、摺動要素が第１の閉鎖位置にある状態を示す図である。
【図８】本発明の第２の実施形態としての木材用のみを示す図であり、摺動要素が第２の開放位置にある状態を示す図である。
【発明を実施するための形態】
【００１０】
図１ａ及び図１ｂに示されている第１の実施形態では、本発明の取り外し可能なブレード付きのツールは、木材用のみである。木材用のみは、縁部１０１が図１ａの拡大図１０２に示されているように湾曲している実質的に長方形のプレートの形態をした第１の輪郭を有する部分１００を有している。
【００１１】
この第１の実施形態によれば、本発明の木材用のみは、縁部１０４が図１ａの拡大図１０２に示されているように湾曲している実質的に長方形のプレートの形態をした第２の輪郭を有する部分１０３を更に有している。第２の輪郭を有する部分１０３は、第１の輪郭を有する部分１００中に挿入可能に形作られており、その長さは、第１の輪郭を有する部分１００の長さに実質的に等しい。
【００１２】
好ましくは、本発明の木材用のみは、実質的に長方形のプレートの形態をしていて、第１の輪郭を有する部分１００と第２の輪郭を有する部分１０３との間に挿入されるようになったコア１０５を更に有している。コア１０５は、本発明の木材用のみを補強するために用いられており、それによりツールの剛性が向上する。
【００１３】
本発明の木材用のみは、固定用プレート１０８にしっかりと取り付けられた切断用プレート１０７で作られた取り外し可能なブレード１０６を更に有している。切断用プレート１０７は、その自由端部のところに刃先１０９を備えている。固定用プレート１０８の寸法形状は、これを第１の輪郭を有する部分と第２の輪郭を有する部分との間に力ずくで挿入することができるようなものであり、それにより、取り外し可能なブレードが本発明の木材用のみに固定される。切断用プレートの寸法及び刃先の角度は、ブレードの種類に応じて様々であって良い。
【００１４】
好ましくは、コアは、取り外し可能なブレード１０６の固定用プレート１０８を第１の輪郭を有する部分１００と第２の輪郭を有する部分１０３との間に挿入することができるようにするために図１ｂに示されているように第１及び第２の輪郭を有する部分１００，１０３よりも実質的に短い。
【００１５】
取り外し可能なブレード１０６を取り外すためには、この取り外し可能なブレードを切断用プレートによって第１及び第２の輪郭を有する部分から引き出すことが必要なだけである。好ましくは、第１及び第２の輪郭を有する部分は各々、これらの端部のところに、取り外し可能なブレードを受け入れる第１の長円形の開口部１１０を有している。取り外し可能なブレード１０６は、その一部として、固定用プレート１０８に設けられた穴１１１を有する。第１の長円形の開口部１１０及び穴１１１は、取り外し可能なブレード１０６を第１の輪郭を有する部分１００と第２の輪郭を有する部分１０３との間に挿入したときに穴１１１が図１ｂに示されているように長円形開口部１１０を介して見えるようなものである。これにより、特に、取り外し可能なブレード１０６を木材用のみから容易に取り外すことができる。
【００１６】
図２〜図８に示されている第２の実施形態では、本発明の取り外し可能なブレード付きツールは、同様に、木材用のみである。第１の実施形態の場合と同様、木材用のみは、図２ａに示されていると共に実質的に長方形のプレートの形態をした第１の輪郭を有する部分１を有している。第１の輪郭を有する部分１の第１の端部１ａは、木材用のみのハンドル又は柄（図示せず）中に挿入されてその中に保持可能であるように形作られている。
【００１７】
図２ａ及び図２ｃに示されているように、第１の輪郭を有する部分１は、その第１の端部１ａのところを除き、その全長に沿って湾曲した縁部２を有している。
【００１８】
第１の輪郭を有する部分１は、機能については以下に説明する種々の開口部を更に有している。第１の穴３が第１の輪郭を有する部分１の自由端部１ａに作られている。第１の輪郭を有する部分１は、その湾曲縁部２相互間に設けられた第２の穴４を更に有している。最後に、第１の輪郭を有する部分１は、その第２の端部１ｂのところに２つの位置決め穴５を更に有している。
【００１９】
本発明の第２の実施形態としての木材用のみは、図３ａに示されると共に実質的に長方形のプレートの形態をしたコア６を有している。コア６は、第１の輪郭を有する部分１の湾曲縁部２相互間で摺動可能であるように形作られている。コア６は、同様に、寸法形状に関して第１の輪郭を有する部分１の第１の端部１ａに一致していて、木材用のみのハンドル内に挿入されてその中に保持されるようになった端部６ａを有している。コア６は、本発明の木材用のみを補強するために用いられている。
【００２０】
コア６は、その端部６ａのところの第１の面上に第１の突起７を有し、この突起は、コア６が第１の輪郭を有する部分１に対して適切に位置決めされると共に保持されるようにするために第１の輪郭を有する部分１の第１の穴３と協働するようになっている。コア６は、更にその端部６ａのところに第２の突起８を更に有している。図３ｂに示されているように、この第２の突起８は、コア６の第２の面（第１の面の反対側に位置する）に設けられ、かくして、第１の突起７の方向とは逆の方向に差し向けられている。さらに、依然として図３ｂを参照すると、コア６は、第１及び第２の突起７，８にそれぞれ対応した第１及び第２の凹部７ａ，８ａを有している。第１の凹部７ａ及び第２の突起８は、コア６の同じ第２の面上に設けられている。同様に、第２の凹部８ａ及び第１の突起７は、第２の面と反対側のコアの同じ第１の面に設けられている。
【００２１】
コア６は、コア６の長い方の側部と平行に延びる長円形の開口部９を更に有している。
【００２２】
この第２の実施形態では、第２の輪郭を有する部分は、２つの要素、即ち、ロック要素１０及び摺動要素１４で構成されている。
【００２３】
図４ａに示されているロック要素１０は、ほぼ長方形の形をしている。ロック要素１０は、寸法形状に関して第１の輪郭を有する部分１の第１の端部１ａ及びコア６の第１の端部６ａに一致すると共に同様に木材用のみのハンドル内に挿入されてその中に保持されるようになった第１の部分１０ａを有している。ロック要素１０の第２の部分１０ｂは、図４ｂ及び図４ｃに示されている側方フランジ１１を有している。第２の部分１０ｂ及び側方フランジ１１は、ロック要素１０を第１の輪郭を有する部分１中に挿入することができると共にコア６が第１の輪郭を有する部分１の曲げ縁部２及び側方フランジ１１の組み合わせ挿入の効果によって第１の輪郭を有する部分１とロック要素１０との間に保持されるように形作られている。
【００２４】
さらに、ロック要素１０は、その第１の部分１０ａに第３の穴１２を有し、この第３の穴は、ロック要素１０がコア６に対して適切に位置決めされるようにするようコア６の第２の突起８と協働するようになっている。
【００２５】
ロック要素１０は、その第２の部分１０ｂから切断形成されたタブ１３を更に有している。タブ１３は、ロック要素１０の長手方向軸線に垂直な軸線に沿って圧力下で或る特定の度合いの弾性を有するよう形作られている。好ましくは、タブ１３は、ユーザにとって適当な加圧領域を提供し、アーム１３ｂによってロック要素１０にしっかりと取り付けられた実質的に円形の部分１３ａを有している。同様に好ましい仕方で、その自由端部にフィンガ１３ｃを有し、このフィンガの機能については後で説明する。
【００２６】
本発明の木材用のみは、図５ａ及び図５ｂに示されていて、実質的に長方形のプレートの形態をした摺動要素１４を更に有している。摺動要素１４は、好ましくはユーザにより摺動要素１４の取り扱いを容易にするようになった２つの隆起部１５を備えた第１の部分１４ａを有している。摺動要素１４のこの第１の部分１４ａの端部は、ロック要素１０のタブ１３のフィンガ１３ｃと協働するようになった切欠き１７を有している。
【００２７】
摺動要素１４の第２の部分１４ｂは、隆起部１５と反対側で摺動要素の長手方向軸線に対して垂直に延びる側方フランジ１６を有している。摺動要素は、隆起部１５を備えた面と反対側の面に更に、停止部１８を有し、この停止部は、コア６の長円形開口部９内で摺動するようになっている。
【００２８】
摺動要素１４の側方フランジ１６は、摺動要素１４を第１の輪郭を有する部分１内で移動させることができるように形作られており、側方フランジは、第１の輪郭を有する部分１の曲げ縁部２とコア６との間を摺動する。
【００２９】
この第２の実施形態としての木材用のみの組み立て及び作用について以下に詳細に説明する。コア６を第１の輪郭を有する部分１中に挿入し、その位置決めは、第１の輪郭を有する部分１の第１の穴３内へのコア６の第１の突起７の挿入によって保証される。次に、ロック要素１０を第１の輪郭を有する部分１中に挿入する。ロック要素は、コア６の第２の突起８をロック要素の第３の穴１２中に正確に押し込むと正確に位置決めされる。第１の輪郭を有する部分１の形状、コア６の形状及びロック要素１０の形状により、ロック要素１０を第１の輪郭を有する部分の長手方向軸線に沿ってずらすだけでロック要素を第１の輪郭を有する部分１から取り外すことができる。特に、ロック要素は、第１の輪郭を有する部分１から垂直には取り外せない。したがって、ロック要素１０は、いったんその動作位置に位置すると、ロック要素１０を第１の輪郭を有する部分１中に押し込み、このロック要素は又、コア６を第１の輪郭を有する部分１内にロックする。
【００３０】
コア６の寸法は、第１の輪郭を有する部分１、コア６及びロック要素１０がいったんこれらの動作位置に位置すると、図８に示されているように、位置決め穴５がコアによって覆われず、ユーザに対して接近可能であるようなものである。
【００３１】
摺動要素１４を第１の輪郭を有する部分１中に挿入して摺動要素１４の側方フランジ１６がコア６を包囲するようにする。第１の輪郭を有する部分１の形状及び摺動要素１４の形状により、摺動要素は、第１の輪郭を有する部分から垂直には取り外せない。ロック要素１０の場合と同様、摺動要素１４を第１の輪郭を有する部分１の長手方向軸線に沿って側方にしか移動させることができない。
【００３２】
第１の輪郭を有する部分１に対する摺動要素１４の移動は、コア６の長円形開口部９内における停止部１８の移動によって制限される。さらに、閉鎖位置では、ロック要素１０のタブ１３のフィンガ１３ｃは、摺動要素１４の切欠き１７と協働して摺動要素をロックして摺動要素が第１の輪郭を有する部分１に対して更に前方に摺動するのを阻止するようにする。この閉鎖位置は、図７に示されている。摺動要素１４の寸法は、この閉鎖位置では、摺動要素が第１の輪郭を有する部分１の位置決め穴５を覆うようなものであり、かくして、これら穴は、ユーザにとって接近不能である。
【００３３】
摺動要素１４をその開放位置に移動させるためには、ユーザは、タブ１３をその円形部分１３ａを介して押してフィンガ１３ｃを切欠き１７から離脱させなければならない。次に、ユーザは、圧力をタブ１３に加えたままの状態で、摺動要素１４をロック要素１０上でこれに沿って摺動させるのが良く、それにより第１の輪郭を有する部分１の位置決め穴５を露出させる。摺動要素１４の移動は、長円形開口部９内で摺動する停止部１８によって制限される。ロック要素１０及び摺動要素１４は、摺動要素がロック要素上でこれに沿って摺動することができるように形作られている。この開放位置は、図８に示されている。
【００３４】
本発明の第２の実施形態としての木材用のみは、図６ａに示された取り外し可能なブレード２０を更に有している。取り外し可能なブレード２０は、例えば、第１の輪郭を有する部分１の位置決め穴５と協働するようになった第１及び第２の出張り２２の形態をしている保持手段を備えた固定用プレート２１を有している。固定用プレートの寸法形状は、この固定用プレートを第１の輪郭を有する部分１内で且つ第１の輪郭を有する部分１と摺動要素１４との間に挿入することができるようなものである。
【００３５】
取り外し可能なブレード２０は、固定用プレート２１にしっかりと取り付けられた切断用プレート２３を更に有している。切断用プレート２３の自由端部は、刃先２４を有している。切断用プレートの寸法及び刃先の角度は、ブレードの種類に応じて様々であって良い。
【００３６】
摺動要素１４が開放位置にあるとき、取り外し可能なブレード２０を第１の輪郭を有する部分１内に配置する。ブレード２０の適切な位置決めは、第１の輪郭を有する部分１の位置決め穴５内への第１及び第２の出張り２２のスナップ嵌めによって保証される。本発明の木材用のみへの取り外し可能なブレード２０の固定を保証するためには、ユーザは、次に、摺動要素１４を第１の輪郭を有する部分１に対して摺動させることにより摺動要素１４をその閉鎖位置に移動させなければならない。摺動要素がその閉鎖位置にいったん位置すると、取り外し可能なブレード２０の固定用プレート２１は、摺動要素１４によって完全に覆われ、かくして、そのようにすることによって、取り外し可能なブレード２０は、本発明の木材用のみにしっかりと取り付けられた状態に保たれる。
【００３７】
この実施形態は、例示として説明されているに過ぎない。具体的に言えば、タブ１３に代えて任意適当な弾性力を用いることができる。同様に、種々の位置決め手段、例えば突起、凹部、停止部に代えて任意他の適当な位置決め手段を用いることができる。
【００３８】
取り外し可能なブレードの切断用プレート２３と固定用プレート２１とのなす角度ａは、ブレードの種類に応じて様々であって良い。しかしながら、切断用プレート２３は、本発明の木材用のみの使用中に持ち上がって離れる恐れのある材料削りくずが摺動要素１４と取り外し可能なブレード２０との間に滑り込むことができないように形作られた肩２５を形成するよう固定用プレート２１に対して調節される。同様に、取り外し可能なブレードに関するこの変形例は、第１の実施形態としての木材用のみに装着されるようになった取り外し可能なブレードに適用可能である。上述の２つの実施形態に関して説明したコア１０５，１０６の使用は、両方の場合において、選択的である。
【符号の説明】
【００３９】
１，１００，１０３  輪郭を有する部分
２  縁部
５  第１の保持手段
６  コア
１０  ロック要素
１４  摺動要素
２０，１０６  ブレード
２２  第２の保持手段
２５  肩
１０７  切断用プレート
１０８  固定用プレート
１０９  刃先
１１０  長円形の開口部
１１１  穴
【図１ａ】
2011218809.tif 000003
【図１ｂ】
2011218809.tif 000004
【図２ａ】
2011218809.tif 000005
【図２ｂ】
2011218809.tif 000006
【図２ｃ】
2011218809.tif 000007
【図３ａ】
2011218809.tif 000008
【図３ｂ】
2011218809.tif 000009
【図４ａ】
2011218809.tif 000010
【図４ｂ】
2011218809.tif 000011
【図４ｃ】
2011218809.tif 000012
【図５ａ】
2011218809.tif 000013
【図５ｂ】
2011218809.tif 000014
【図６ａ】
2011218809.tif 000015
【図６ｂ】
2011218809.tif 000016
【図７】
2011218809.tif 000017
【図８】
2011218809.tif 000018